Podtech/llm-jp-corpus-v4-ja_patent huggingface dataset:
【手続補正書】
【提出日】平成30年8月17日(2018.8.17)
【手続補正１】
【補正対象書類名】特許請求の範囲
【補正対象項目名】全文
【補正方法】変更
【補正の内容】
【特許請求の範囲】
【請求項１】
（ｉ）免疫抑制剤に結合された合成ナノキャリアの第１の集団と、
（ｉｉ）いずれの合成ナノキャリアにも結合されていない抗原提示細胞（ＡＰＣ）提示可能抗原と
を含む組成物。
【請求項２】
組成物中の前記免疫抑制剤が、前記ＡＰＣ提示可能抗原に対する寛容原性免疫応答を生成するのに有効な量である、請求項１に記載の組成物。
【請求項３】
前記合成ナノキャリアの動的光散乱を用いて得られる粒度分布の平均が、（ａ）１００ｎｍ、（ｂ）１５０ｎｍ、（ｃ）２００ｎｍ、（ｄ）２５０ｎｍ、または（ｅ）３００ｎｍを超える直径である、請求項１または２に記載の組成物。
【請求項４】
前記免疫抑制剤が、例えばラパマイシンなどのｍＴＯＲ阻害剤、スタチン、ＴＧＦ−βシグナル伝達剤、コルチコステロイド、ミトコンドリア機能の阻害剤、Ｐ３８阻害剤、ＮＦ−κβ阻害剤、アデノシン受容体アゴニスト、プロスタグランジンＥ２アゴニスト、ホスホジエステラーゼ４阻害剤、ＨＤＡＣ阻害剤またはプロテアソーム阻害剤を含む、請求項１〜３のいずれか一項に記載の組成物。
【請求項５】
前記ＡＰＣ提示可能抗原が、（ａ）ＭＨＣクラスＩ拘束性および／またはＭＨＣクラスＩＩ拘束性エピトープを含む；（ｂ）ＣＤ１ｄに結合する脂質である；（ｃ）治療用タンパク質またはその部分、自己抗原またはアレルゲンであるか、或いは自己免疫疾患、炎症性疾患、アレルギー、臓器若しくは組織拒絶反応または移植片対宿主病と関連する、請求項１〜４のいずれか一項に記載の組成物。
【請求項６】
前記免疫抑制剤の負荷が、（ａ）合成ナノキャリアの前記第１の集団全体を平均して、０．０００１％〜５０％（重量／重量）である；または（ｂ）合成ナノキャリアの前記第１の集団全体を平均して、０．１％〜１０％（重量／重量）である；（ｃ）合成ナノキャリアの前記第１の集団全体を平均して、少なくとも２％であるが２５％以下（重量／重量）である、請求項１〜５のいずれか一項に記載の組成物。
【請求項７】
前記合成ナノキャリアが、脂質ナノ粒子、ポリマーナノ粒子、金属ナノ粒子、界面活性剤ベースのエマルジョン、デンドリマー、バッキーボール、ナノワイヤ、ウイルス様粒子またはペプチド若しくはタンパク質粒子を含み、任意に、ここで、前記合成ナノキャリアが、ポリマーナノ粒子を含む場合、前記ポリマーナノ粒子が、非メトキシ末端プルロニックポリマーであるポリマーを含む、請求項１〜６のいずれか一項に記載の組成物。
【請求項８】
前記ポリマーナノ粒子が、ポリエステル、ポリエーテルに結合されたポリエステル、ポリアミノ酸、ポリカーボネート、ポリアセタール、ポリケタール、多糖、ポリエチルオキサゾリンまたはポリエチレンイミンを含み、任意に、ここで、（ａ）前記ポリエステルが、ポリ（乳酸）、ポリ（グリコール酸）、ポリ（乳酸−コ−グリコール酸）またはポリカプロラクトンを含み、および／または（ｂ）前記ポリマーナノ粒子が、ポリエステルおよびポリエーテルに結合されたポリエステルを含み、例えば、前記ポリエーテルが、ポリエチレングリコールまたはポリプロピレングリコールを含む、請求項７に記載の組成物。
【請求項９】
前記合成ナノキャリアのアスペクト比が、１：１、１：１．２、１：１．５、１：２、１：３、１：５、１：７または１：１０を超える、請求項１〜８のいずれか一項に記載の組成物。
【請求項１０】
薬学的に許容できる賦形剤を更に含む、請求項１〜９のいずれか一項に記載の組成物。
【請求項１１】
任意に、請求項１〜１０のいずれか一項に記載の組成物を含む剤形を被験体に投与する工程を含む方法に使用するための、当該剤形であって、（ｉ）前記被験体が、抗原特異的な寛容を必要としている；（ｉｉ）前記剤形が、前記ＡＰＣ提示可能抗原に特異的な寛容原性免疫応答をもたらすのに有効な量で投与される；（ｉｉｉ）前記剤形が、一体以上の被験体における前記ＡＰＣ提示可能抗原に特異的な寛容原性免疫応答をもたらすことが既に知られたプロトコルに従って、前記被験体に投与される；（ｉｖ）前記被験体を提供または同定する工程を更に含む；（ｖ）前記被験体における前記ＡＰＣ提示可能抗原に特異的な寛容原性免疫応答の生成を評価する工程を更に含む；（ｖｉ）前記被験体が、自己免疫疾患、炎症性疾患、アレルギー、臓器若しくは組織拒絶反応、移植片対宿主病を有するか、或いは移植を行ったかまたは移植を行う予定である；（vｉｉ）前記被験体が、望ましくない免疫応答を起こしたか、起こしているかまたは起こすことが予測される治療用タンパク質を投与されたか、投与されているかまたは投与される予定である；（vｉｉｉ）前記剤形が、静脈内、経粘膜、腹腔内、経口、皮下、経肺、鼻腔内、皮内または筋肉内投与によって投与される；または（ｉｘ）前記投与が、吸入或いは静脈内、皮下または経粘膜投与によって行われる、前記剤形。
【請求項１２】
治療または予防に使用するための、請求項１〜１０のいずれか一項に記載の組成物。
【請求項１３】
治療または予防に使用するための、請求項１１に記載の剤形。
【請求項１４】
移植を行ったかまたは移植を行う予定である被験体、或いは望ましくない免疫応答を起こしたか、起こしているかまたは起こすことが予測される治療用タンパク質を投与されたか、投与されているかまたは投与される予定である被験体の治療または予防に使用するための、請求項１〜１０のいずれか一項に記載の組成物。
【請求項１５】
移植を行ったかまたは移植を行う予定である被験体、或いは望ましくない免疫応答を起こしたか、起こしているかまたは起こすことが予測される治療用タンパク質を投与されたか、投与されているかまたは投与される予定である被験体の治療または予防に使用するための、請求項１１に記載の剤形。
【請求項１６】
請求項１〜１０のいずれか一項に記載の組成物であって、（ａ）請求項１１に記載の方法に使用するための；（ｂ）寛容原性免疫応答を誘導する方法に使用するための；（ｃ）自己免疫疾患、炎症性疾患、アレルギー、移植片対宿主病または望ましくない免疫応答の予防または治療の方法に使用するための；または（ｄ）請求項１１に記載の経路による投与を含む治療または予防の方法に使用するための、前記組成物。
【請求項１７】
請求項１１に記載の剤形であって、（ａ）請求項１１に記載の方法に使用するための；（ｂ）寛容原性免疫応答を誘導する方法に使用するための；（ｃ）自己免疫疾患、炎症性疾患、アレルギー、移植片対宿主病または望ましくない免疫応答の予防または治療の方法に使用するための、または（ｄ）請求項１１に記載の経路による投与を含む治療または予防の方法に使用するための、前記剤形。
【請求項１８】
免疫抑制剤がラパマイシンである、請求項４〜１０、１２、１４、または１６に記載の組成物、または、請求項１１、１３、１５、または１７に記載の剤形。
【請求項１９】
前記合成ナノキャリアの少なくとも７５％が、動的光散乱を用いて得られる１１０ｎｍを超える最小寸法および動的光散乱を用いて得られる５００ｎｍ以下である最大寸法を有する、請求項４〜１０、１２、１４、１６、または１８に記載の組成物、または、請求項１１、１３、１５、１７、または１８に記載の剤形。
【手続補正書】
【提出日】平成30年7月10日(2018.7.10)
【手続補正１】
【補正対象書類名】特許請求の範囲
【補正対象項目名】全文
【補正方法】変更
【補正の内容】
【特許請求の範囲】
【請求項１】
光干渉を用いて眼を断層撮影して得た前記眼の断層画像における少なくとも１つの層境界を検出する検出手段と、
前記検出された少なくとも１つの層境界に基づいて、前記断層画像における前記眼の網膜が含まれる領域を判断する判断手段と、
前記網膜が含まれる領域の強度分布を変換する変換量よりも大きい変換量で、前記網膜が含まれる領域とは異なる領域の強度分布を変換する処理手段と、
を有することを特徴とする画像処理装置。
【請求項２】
前記処理手段は、前記網膜が含まれる領域の強度分布を広げるように変換する変換量よりも大きい変換量で、前記異なる領域の強度分布を広げるように変換することを特徴とする請求項１に記載の画像処理装置。
【請求項３】
前記処理手段は、前記網膜が含まれる領域の強度分布を階調変換する階調変換特性の傾きよりも大きい階調変換特性の傾きで、前記異なる領域の強度分布を階調変換することを特徴とする請求項１または２に記載の画像処理装置。
【請求項４】
前記検出手段は、前記網膜と前記眼の硝子体との層境界を検出し、
前記判断手段は、前記検出された少なくとも１つの層境界に基づいて、前記断層画像の前記硝子体が含まれる領域を、前記異なる領域として判断することを特徴とする請求項１乃至３のいずれか１項に記載の画像処理装置。
【請求項５】
光干渉を用いて眼を断層撮影して得た前記眼の断層画像を表示手段に表示させる表示制御手段と、
前記表示された断層画像上の位置を指定するポインティングデバイスと、
前記ポインティングデバイスの操作信号に基づいて、前記表示された断層画像上の前記ポインティングデバイスが指定する位置を含む領域の強度分布を、前記断層画像の他の領域の強度分布を変換する変換量よりも大きい変換量で変換する処理手段と、
を有することを特徴とする画像処理装置。
【請求項６】
前記処理手段は、前記ポインティングデバイスの指定する位置が前記表示手段に表示された断層画像の網膜の領域にある場合に前記操作信号を検知すると前記網膜の領域の強度分布を変換し、前記ポインティングデバイスの指定する位置が前記表示手段に表示された断層画像の前記網膜以外の領域にある場合に前記操作信号を検知すると前記網膜以外の領域の強度分布を変換することを特徴とする請求項５に記載の画像処理装置。
【請求項７】
前記処理手段は、前記ポインティングデバイスの指定する位置が前記表示手段に表示された断層画像の隅角部の領域にある場合に前記操作信号を検知すると前記隅角部の領域の強度分布を変換し、前記ポインティングデバイスの指定する位置が前記表示手段に表示された断層画像の前記隅角部以外の領域にある場合に前記操作信号を検知すると前記隅角部以外の領域の強度分布を変換することを特徴とする請求項５に記載の画像処理装置。
【請求項８】
光干渉を用いて眼を断層撮影して得た前記眼の断層画像を少なくとも硝子体を含む領域と他の領域とに分割する領域分割手段と、
前記他の領域の強度分布よりも低い強度分布を持つ前記少なくとも硝子体を含む領域をエンハンス処理するように、前記少なくとも硝子体を含む領域の強度分布を変換する処理手段と、
を有することを特徴とする画像処理装置。
【請求項９】
前記処理手段は、表示手段の表示分解能よりも高い分解能を持つ前記眼の断層画像データの強度分布を変換し、前記強度分布を変換して得た断層画像データを前記表示分解能の断層画像データに変換することを特徴とする請求項１乃至８のいずれか１項に記載の画像処理装置。
【請求項１０】
前記表示手段の表示分解能よりも高い分解能を持つ断層画像データは、前記検出された干渉光の強度情報を所定の変換処理を行うことにより生成された８ビットよりも大きいビット数の断層画像データであり、
前記強度分布を変換して得た断層画像データは、８ビット形式の断層画像データであることを特徴とする請求項９に記載の画像処理装置。
【請求項１１】
前記処理手段は、前記強度分布が変換されて得た画像を表示手段に表示可能なビット数に変換することを特徴とする請求項１乃至１０のいずれか１項に記載の画像処理装置。
【請求項１２】
光干渉を用いて前記眼を断層撮影する光干渉断層撮影装置と通信可能に接続され、
前記光干渉断層撮影装置により前記眼を断層撮影して得た前記断層画像を取得する断層画像取得手段を更に有することを特徴とする請求項１乃至１１のいずれか１項に記載の画像処理装置。
【請求項１３】
前記断層画像の縦分解能が５μｍ以下であるように構成されることを特徴とする請求項１乃至１２のいずれか１項に記載の画像処理装置。
【請求項１４】
前記断層画像の縦分解能が３μｍ以下であるように構成されることを特徴とする請求項１乃至１３のいずれか１項に記載の画像処理装置。
【請求項１５】
光干渉を用いて眼を断層撮影して得た前記眼の断層画像における少なくとも１つの層境界を検出する工程と、
前記検出された少なくとも１つの層境界に基づいて、前記断層画像における前記眼の網膜が含まれる領域を判断する判断する工程と、
前記網膜が含まれる領域の強度分布を変換する変換量よりも大きい変換量で、前記網膜が含まれる領域とは異なる領域の強度分布を変換する工程と、
を有することを特徴とする画像処理方法。
【請求項１６】
光干渉を用いて眼を断層撮影して得た前記眼の断層画像を少なくとも硝子体を含む領域と他の領域とに分割する工程と、
前記他の領域の強度分布よりも低い強度分布を持つ前記少なくとも硝子体を含む領域をエンハンス処理するように、前記少なくとも硝子体を含む領域の強度分布を変換する工程と、
を有することを特徴とする画像処理方法。
【請求項１７】
請求項１５または１６に記載の画像処理方法の各工程をコンピュータに実行させることを特徴とするプログラム。
【手続補正２】
【補正対象書類名】明細書
【補正対象項目名】００１０
【補正方法】変更
【補正の内容】
【００１０】
本発明に係る画像処理装置の一つは、
光干渉を用いて眼を断層撮影して得た前記眼の断層画像における少なくとも１つの層境界を検出する検出手段と、
前記検出された少なくとも１つの層境界に基づいて、前記断層画像における前記眼の網膜が含まれる領域を判断する判断手段と、
前記網膜が含まれる領域の強度分布を変換する変換量よりも大きい変換量で、前記網膜が含まれる領域とは異なる領域の強度分布を変換する処理手段と、を有する。
【手続補正３】
【補正対象書類名】明細書
【補正対象項目名】００１１
【補正方法】変更
【補正の内容】
【００１１】
また、本発明に係る画像処理装置の一つは、
光干渉を用いて眼を断層撮影して得た前記眼の断層画像を少なくとも硝子体を含む領域と他の領域とに分割する領域分割手段と、
前記他の領域の強度分布よりも低い強度分布を持つ前記少なくとも硝子体を含む領域をエンハンス処理するように、前記少なくとも硝子体を含む領域の強度分布を変換する処理手段と、を有する。
【手続補正書】
【提出日】平成30年5月18日(2018.5.18)
【手続補正１】
【補正対象書類名】特許請求の範囲
【補正対象項目名】全文
【補正方法】変更
【補正の内容】
【特許請求の範囲】
【請求項１】
遊技中に抽選契機が発生すると、所定の抽選を実行する抽選実行手段と、
前記所定の抽選が実行された場合、所定の変動時間にわたって図柄を変動表示させた後に前記所定の抽選の結果に応じた態様で前記図柄を停止表示させる図柄表示手段と、
所定の当選態様で前記図柄が停止表示された場合、特別遊技を実行する特別遊技実行手段と、
所定の移行条件が満たされた場合、所定の遊技状態から前記所定の遊技状態と比較して有利な条件が適用された有利遊技状態に移行させる有利遊技状態移行手段と、
前記有利遊技状態において前記特別遊技の終了後の特別遊技後変動回数が特別回数である場合、所定時間以上の変動時間を有する特殊変動パターンによる特殊変動を実行する特殊変動実行手段と、
前記特殊変動の実行中に、所定の操作入力手段を用いて複数の演出態様の中からいずれか１つの演出態様を選択させる演出態様選択演出を実行する演出態様選択演出実行手段とを備え、
前記特殊変動実行手段は、
前記所定の抽選で非当選の結果が得られた場合には前記特殊変動を実行する一方、前記所定の抽選で当選の結果が得られた場合には前記特殊変動とは異なる当選時変動を実行し、
前記演出態様選択演出実行手段は、
前記所定の抽選で非当選の結果が得られた場合には前記特殊変動の実行中に前記演出態様選択演出を実行する一方、前記所定の抽選で当選の結果が得られた場合には前記当選時変動の実行中に前記演出態様選択演出とは異なる当選時演出を実行することを特徴とする遊技機。
【請求項２】
請求項１に記載の遊技機において、
特別な移行条件が満たされた場合、前記特別遊技の終了後に第１区間に移行させ、その後に前記特別遊技後変動回数が所定回数に達した場合、前記第１区間から第２区間に移行させる移行手段と、
前記第１区間での演出態様として、前記所定の操作入力手段を用いても演出態様を変化させることができない特別な演出態様を規定している第１区間演出態様規定手段とを備え、
前記第１区間では、
前記図柄の変動パターンとして、前記特殊変動パターンの変動時間よりも短い変動時間を有する変動パターンが選択され得ることを特徴とする遊技機。
【手続補正書】
【提出日】平成30年5月14日(2018.5.14)
【手続補正１】
【補正対象書類名】特許請求の範囲
【補正対象項目名】請求項１１
【補正方法】変更
【補正の内容】
【請求項１１】
記憶部から複数フレームの３次元画像を取得し、前記複数フレームの３次元画像から、心臓弁を抽出する抽出手段と、
前記複数フレームのうち特定のフレームの３次元画像における前記心臓弁の弁尖間の隙間を逸脱隙間として算出して表示部に表示させる算出手段と、
を有する医用画像処理装置。
【手続補正２】
【補正対象書類名】明細書
【補正対象項目名】００１０
【補正方法】変更
【補正の内容】
【００１０】
本実施形態に係る医用画像処理装置は、上述した課題を解決するために、記憶部から複数フレームの３次元画像を取得し、前記複数フレームの３次元画像から、心臓弁を抽出する抽出手段と、前記複数フレームのうち特定のフレームの３次元画像における前記心臓弁の弁尖間の隙間を逸脱隙間として算出して表示部に表示させる算出手段と、を有する。
【手続補正３】
【補正対象書類名】明細書
【補正対象項目名】００６０
【補正方法】変更
【補正の内容】
【００６０】
続いて、図１及び図９を用いて超音波診断装置１０の動作について説明する。
【手続補正４】
【補正対象書類名】明細書
【補正対象項目名】００６１
【補正方法】変更
【補正の内容】
【００６１】
図９は、第１実施形態に係る超音波診断装置１０の動作を示すフローチャートである。
【手続補正５】
【補正対象書類名】明細書
【補正対象項目名】００６２
【補正方法】変更
【補正の内容】
【００６２】
超音波診断装置１０は、ある心拍において、基準信号発生回路３５を介して超音波プローブ１１の動作を制御してＢモードの４Ｄスキャンを開始させ、画像生成回路３８によって生成される３Ｄ画像に基づいて僧帽弁のエッジを抽出する（ステップＳＴ１）。超音波診断装置１０は、画像生成回路３８によって生成される複数フレームの３Ｄ画像に基づいて、ステップＳＴ１によって抽出された僧帽弁のエッジをトラッキングする（ステップＳＴ２）。
【手続補正６】
【補正対象書類名】明細書
【補正対象項目名】００６３
【補正方法】変更
【補正の内容】
【００６３】
超音波診断装置１０は、僧帽弁が閉鎖すべきタイミング、例えば、収縮末期を決定する（ステップＳＴ３）。超音波診断装置１０は、ステップＳＴ３によって決定された収縮末期に相当するフレームの３Ｄ画像に基づいて、収縮末期における僧帽弁の前尖上の複数点と、後尖上の複数点との間の複数の逸脱隙間要素を算出する（ステップＳＴ４）。
【手続補正７】
【補正対象書類名】明細書
【補正対象項目名】００６４
【補正方法】変更
【補正の内容】
【００６４】
超音波診断装置１０は、ステップＳＴ４によって算出された複数の逸脱隙間要素における最大値を、収縮末期における僧帽弁の逸脱隙間要素として算出し、最大の逸脱隙間要素の位置を算出する（ステップＳＴ５）。
【手続補正８】
【補正対象書類名】明細書
【補正対象項目名】００６５
【補正方法】変更
【補正の内容】
【００６５】
超音波診断装置１０は、次の心拍において、収縮末期における最大の逸脱隙間要素の位置を算出するか否かを判断する（ステップＳＴ６）。ステップＳＴ６の判断にてＹＥＳ、すなわち、次の心拍において、収縮末期における最大の逸脱隙間要素の位置を算出すると判断される場合、超音波診断装置１０は、次の心拍において、基準信号発生回路３５を介して超音波プローブ１１の動作を制御してＢモードの４Ｄスキャンを開始させ、画像生成回路３８によって生成される３Ｄ画像に基づいて僧帽弁のエッジを抽出する（ステップＳＴ１）。
【手続補正９】
【補正対象書類名】明細書
【補正対象項目名】００６６
【補正方法】変更
【補正の内容】
【００６６】
一方、ステップＳＴ６の判断にてＮＯ、すなわち、次の心拍において、収縮末期における最大の逸脱隙間要素の位置を算出しないと判断される場合、超音波診断装置１０は、ステップＳＴ４によって算出された複数心拍に係る複数の逸脱隙間要素を集計して、複数心拍に係る１の逸脱隙間を算出する（ステップＳＴ７）。超音波診断装置１０は、ステップＳＴ５によって算出された各心拍に係る逸脱隙間要素や、ステップＳＴ７によって算出された複数心拍に係る１の逸脱隙間をディスプレイ３４に表示させる（ステップＳＴ８）。
【手続補正書】
【提出日】平成30年6月28日(2018.6.28)
【手続補正１】
【補正対象書類名】特許請求の範囲
【補正対象項目名】全文
【補正方法】変更
【補正の内容】
【特許請求の範囲】
【請求項１】
遊技球が流下する遊技領域が前面側に形成された遊技盤と、
該遊技盤の遊技領域に設けられ、遊技球が入球可能な入球手段と、
該入球手段への遊技球の入球に基づいて抽選を行う抽選手段と、
該抽選手段による抽選の結果に対応して決定された表示演出が表示される表示部と、
該表示部に前記表示演出が表示されている期間中に次以降の前記表示演出を待機させるよう、前記抽選手段による抽選の結果が含まれる情報を始動記憶として所定数まで記憶可能な始動記憶手段と、
該始動記憶手段に記憶されている前記始動記憶の数に対応して発光可能な光源を有する発光手段と、
前記光源の少なくとも一部を露出する露出位置と遮蔽する遮蔽位置との間を移動し得る可動部材を有する覆い手段とを備えることを特徴とする遊技機。
【請求項２】
前記発光手段が複数の光源を有し、前記覆い手段の可動部材が、前記複数の光源の少なくとも一部の前側を通過するように移動することにより、前記露出位置と前記遮蔽位置との間を移動し得るようになっていることを特徴とする請求項１に記載の遊技機。
【請求項３】
前記覆い手段の可動部材が、前記複数の光源のうちの一つのみを実質的に包含し得る寸法および形状を有し、一定の軌道に沿って移動し得るように構成され、
前記覆い手段の可動部材が移動する軌道に沿って前記複数の光源が列状に配置され、該複数の光源の少なくとも一つが、各々、前記軌道から外れた退避位置と、前記軌道上の演出位置との間を移動し得るように構成され、
前記覆い手段の可動部材が前記軌道上を移動していくと、前記複数の光源の少なくとも一つが、各々、前記退避位置から前記演出位置へ移動して前記可動部材の背後に入り込むようになっていることを特徴とする請求項２に記載の遊技機。
【手続補正書】
【提出日】平成30年6月28日(2018.6.28)
【手続補正１】
【補正対象書類名】特許請求の範囲
【補正対象項目名】全文
【補正方法】変更
【補正の内容】
【特許請求の範囲】
【請求項１】
遊技球が流下する遊技領域が前面側に形成された遊技盤と、
該遊技盤の遊技領域に設けられ、遊技球が入球可能な入球手段と、
該入球手段への遊技球の入球に基づいて抽選を行う抽選手段と、
該抽選手段による抽選の結果に対応して決定された表示演出が表示される表示部と、
該表示部に前記表示演出が表示されている期間中に次以降の前記表示演出を待機させるよう、前記抽選手段による抽選の結果が含まれる情報を始動記憶として所定数まで記憶可能な始動記憶手段と、
該始動記憶手段に記憶されている前記始動記憶の数に対応して発光可能な光源を有する発光手段と、
前記光源の少なくとも一部を露出する露出位置と遮蔽する遮蔽位置との間を移動し得る可動部材を有する覆い手段と、
前記覆い手段の可動部材の動作態様を、遊技状態に応じて変化するよう制御する制御装置とを備えることを特徴とする遊技機。
【請求項２】
前記発光手段の光源の少なくとも一部が可動に構成され、該光源の動作態様が、遊技状態に応じて変化するよう前記制御装置によって制御されるようになっていることを特徴とする請求項１に記載の遊技機。
【請求項３】
前記制御装置が、前記表示部で表示演出が表示される間に前記入球手段へ遊技球が入球するごとに、前記覆い手段の可動部材を前記遮蔽位置から前記露出位置へ移動させて前記発光手段を発光させ、その後、前期表示部に前記表示演出が表示されている期間をかけて前記可動部材を前記露出位置から前記遮蔽位置へ復帰するよう移動させるよう駆動制御するようになっており、この駆動制御において、前記入球手段への入球の時点での前記期間の残り時間に応じて、前記可動部材が前記遮蔽位置へ復帰する際の移動速度を増減させ、これにより、前記可動部材が再び前記遮蔽位置へ到達する時点を前記表示演出が表示されている期間の終了時点に近づけるよう調整するようになっていることを特徴とする請求項１または２に記載の遊技機。
【請求項４】
前記制御装置が、特定遊技状態が発生する確率が通常よりも高い確変状態において、前記発光手段の光源をすべて演出位置から移動しないように保持するとともに、前記覆い手段の可動部材を、前記発光手段の光源のいずれも遮蔽しない位置から移動しないように保持し、専ら前記発光手段の光源を点灯および消灯させるよう制御するようになっていることを特徴とする請求項１〜３のいずれか１項に記載の遊技機。
【手続補正書】
【提出日】平成30年11月14日(2018.11.14)
【手続補正１】
【補正対象書類名】特許請求の範囲
【補正対象項目名】全文
【補正方法】変更
【補正の内容】
【特許請求の範囲】
【請求項１】
ハウジングの空間内にバルブが配置された接続管であって、
前記バルブは、上側に設けられた頭部と、前記頭部よりも下側に設けられた脚部とを有し、全体の形態が上下方向の軸に対して非対称に形成され、
前記頭部の上側の外周が前記ハウジングの上側の内周と密着した状態で、液密性を維持し、
前記頭部の上側から外圧が加えられると、前記脚部の変形に伴って前記頭部が下方に移動し、前記頭部の上側の外周が前記ハウジングの上部側の内周から離間して液体を流通可能な隙間が形成されることを特徴とする接続管。
【請求項２】
前記頭部は、前記ハウジングの上側の内周と密着する部分よりも下側の部分に傾斜部を形成した、ことを特徴とする請求項１に記載の接続管。
【請求項３】
前記バルブは、前記脚部よりも下側に設けられた台座をさらに有し、
前記台座は、側部の一方向の少なくとも一箇所に、変形する前記脚部が配置されるスペースを形成した、ことを特徴とする請求項１に記載の接続管。
【手続補正２】
【補正対象書類名】明細書
【補正対象項目名】０００６
【補正方法】変更
【補正の内容】
【０００６】
そこで本発明者は、以上の課題を解決するために鋭意検討を重ねた結果、以下の発明に到達した。
［１］本発明は、ハウジングの空間内にバルブが配置された接続管であって、
前記バルブは、上側に設けられた頭部と、前記頭部よりも下側に設けられた脚部とを有し、全体の形態が上下方向の軸に対して非対称に形成され、
前記頭部の上側の外周が前記ハウジングの上側の内周と密着した状態で、液密性を維持し、
前記頭部の上側から外圧が加えられると、前記脚部の変形に伴って前記頭部が下方に移動し、前記頭部の上側の外周が前記ハウジングの上部側の内周から離間して液体を流通可能な隙間が形成される接続管を提供する。
【手続補正３】
【補正対象書類名】明細書
【補正対象項目名】０００７
【補正方法】変更
【補正の内容】
【０００７】
［２］本発明は、前記頭部は、前記ハウジングの上側の内周と密着する部分よりも下側の部分に傾斜部を形成した、［１］に記載の接続管を提供する。
【手続補正４】
【補正対象書類名】明細書
【補正対象項目名】０００８
【補正方法】変更
【補正の内容】
【０００８】
［３］本発明は、前記バルブは、前記脚部よりも下側に設けられた台座をさらに有し、
前記台座は、側部の一方向の少なくとも一箇所に、変形する前記脚部が配置されるスペースを形成した、［１］に記載の接続管を提供する。
【手続補正５】
【補正対象書類名】明細書
【補正対象項目名】０００９
【補正方法】変更
【補正の内容】
【０００９】
本発明の前記解決手段を有する接続管は、
（１）バルブは、上部方向からシリンジのルアーテーパー等からの圧力を受けると容易に変形・移動して、ハウジングの上部から下部に至るまでの液体の流通路を容易に開放することができるので、薬液等の注入、血液のサンプリング等の操作がより、速やかで確実に行うことができる。
（２）ルアーテーパー等からの圧力がなくなると、より速やかに基の形状に復元し、ハウジング内の液密性を維持して、シリンジのルアーテーパー等と、患者側の液体流路を遮断することができる。
【手続補正書】
【提出日】平成30年7月12日(2018.7.12)
【手続補正１】
【補正対象書類名】特許請求の範囲
【補正対象項目名】全文
【補正方法】変更
【補正の内容】
【特許請求の範囲】
【請求項１】
各々に１のアイテムが設定される複数のアイテム枠を有するキャラクタを用いたゲーム
を提供するためのプログラムであって、
１又は複数のコンピュータ上で実行されることに応じて、当該１又は複数のコンピュー
タに、
複数のキャラクタを表示するキャラクタ表示画面であって、複数のアイテム枠に対応す
る複数のオブジェクトが、前記複数のキャラクタの各々に対応付けて配置されている前記
キャラクタ表示画面を表示するステップと、
前記キャラクタ表示画面において、前記複数のキャラクタに含まれる第１のキャラクタ
に対応付けて配置されている複数のオブジェクトに含まれる２以上のオブジェクトに対す
る第１のスワイプ操作を検出するステップと、
前記第１のスワイプ操作の検出に応じて、前記第１のスワイプ操作がなされたオブジェ
クトに対応するアイテム枠のアイテムの設定を一括して変更するステップと、を実行させ
る、
プログラム。
【手続補正書】
【提出日】平成29年12月14日(2017.12.14)
【手続補正１】
【補正対象書類名】特許請求の範囲
【補正対象項目名】全文
【補正方法】変更
【補正の内容】
【特許請求の範囲】
【請求項１】
布等の面材を貫通させるピアス針を設けた留め部材ａ側の基板と、
前記留め部材ａ側の基板に対応して設けられ且つ前記ピアス針を挟持するピアスキャッチと、
前記留め部材ａ側の基板に対応する留め部材ｂ側の基板と、
針金に係止するために前記留め部材ｂ側の基板に設けられたフックと、
前記留め部材ａ側の基板及び留め部材ｂ側の基板に設けられ且つ当該基板同士を着脱可能とすると共に着脱の際に必要となる力が、前記ピアスキャッチがピアス針を保持する力より小さくなるように設定される着脱手段と、
を備えたことを特徴とする留め具。
【請求項２】
布等の面材を貫通させるピアス針を設けた留め部材ａ側の基板と、
前記留め部材ａ側の基板に対応して設けられ且つ前記ピアス針を挟持するピアスキャッチと、
前記留め部材ａ側の基板に対応する留め部材ｂ側の基板と、
針金に係止するために前記留め部材ｂ側の基板に設けられたフックと、
前記ピアスキャッチの外周に第一着脱片を設け、留め部材ｂ側の基板に前記ピアスキャッチを囲む形状の第二着脱片を設け、当該第一着脱片及び第二着脱片を着脱可能にすると共に着脱の際に必要となる力が、前記ピアスキャッチがピアス針を保持する力より小さくなるように設定される着脱手段と、
を備えたことを特徴とする留め具。
【手続補正書】
【提出日】平成30年1月15日(2018.1.15)
【手続補正１】
【補正対象書類名】明細書
【補正対象項目名】０００８
【補正方法】変更
【補正の内容】
【０００８】
【特許文献１】特開２００４−２２９５３７号公報
【特許文献２】特開２００４−３２９１４１号公報
【特許文献３】特開２００２−１８１８１５号公報
【特許文献４】特開２００５−２０１７６８号公報
【特許文献５】特開２０１０−１３０９２４号公報
【手続補正２】
【補正対象書類名】明細書
【補正対象項目名】００１５
【補正方法】変更
【補正の内容】
【００１５】
軽度の歯周炎は歯石や歯垢の沈着が比較的少なく、うまくブラッシングを行ってプラークコントロールをすれば、軽度の歯周炎から歯肉炎に、歯肉炎から正常な状態にまで回復させることができる一方、重度の歯周炎になると手術によって原因を除去することが必要となる。
【手続補正３】
【補正対象書類名】明細書
【補正対象項目名】００３１
【補正方法】変更
【補正の内容】
【００３１】
試験紙の呈色は製造に用いるテトラゾリウム塩により異なる。例えば、ＮＢＴを用いる場合は紫色に、ＩＮＴを用いる場合は赤色に、ＷＳＴ−１を用いる場合は黄色に呈色する。
【手続補正４】
【補正対象書類名】図面
【補正対象項目名】図１
【補正方法】変更
【補正の内容】
【図１】
2017018012.tif 000001
【手続補正書】
【提出日】平成30年6月29日(2018.6.29)
【手続補正１】
【補正対象書類名】特許請求の範囲
【補正対象項目名】全文
【補正方法】変更
【補正の内容】
【特許請求の範囲】
【請求項１】
ルテニウムもしくはその合金またはルテニウムを含む化合物（Ａ）がランタノイドを含む化合物（Ｂ）に担持された組成物と、塩基性助触媒（Ｃ）とを物理混合してなるアンモニア合成触媒用組成物。
【請求項２】
ランタノイドを含む化合物がランタノイド酸化物である請求項１に記載のアンモニア合成触媒用組成物。
【請求項３】
塩基性助触媒が、アルカリ金属の酸化物もしくは水酸化物、またはアルカリ土類金属の酸化物もしくは水酸化物である請求項１または２に記載のアンモニア合成触媒用組成物。
【請求項４】
物理混合が水分を含まない乾式の摩砕混合である請求項１〜３のいずれか１項に記載のアンモニア合成触媒用組成物。
【請求項５】
請求項１〜４のいずれか１項に記載のアンモニア合成触媒用組成物を触媒として、窒素と水素を反応させてアンモニアを製造することを特徴とするアンモニアの合成方法。
【請求項６】
ルテニウムもしくはその合金またはルテニウムを含む化合物（Ａ）がランタノイドを含む化合物（Ｂ）に担持された組成物と、塩基性助触媒（Ｃ）とを物理混合して、アンモニア合成触媒用組成物を得ることを特徴とするアンモニア合成触媒用組成物の製造方法。
【請求項７】
物理混合してなるアンモニア合成触媒用組成物を還元反応に供する請求項６に記載のアンモニア合成触媒用組成物の製造方法。
【手続補正書】
【提出日】平成30年7月4日(2018.7.4)
【手続補正１】
【補正対象書類名】特許請求の範囲
【補正対象項目名】全文
【補正方法】変更
【補正の内容】
【特許請求の範囲】
【請求項１】
ハウジングと、
前記ハウジング内に収容された第１のロールと、
前記ハウジング内に収容された第２のロールであって、前記第１のロールの鉛直方向の下側に配置された第２のロールと
を備え、
前記第１のロール及び前記第２のロールによってクランプされた板材を搬送するようになっている板材送り装置であって、
鉛直方向に動作可能で、前記第２のロールを支持するロール支持部材であって、その下端にカム軸受を有するロール支持部材と、
水平方向に動作可能なカムピストンであって、前記カムピストンが水平方向に移動すると、前記ロール支持部材を鉛直方向に移動させるように前記カム軸受に係合するカムピストンと、
前記カムピストンを水平方向に移動させるように回転する偏心カムと
を更に備え、
前記偏心カムが回転して前記カムピストンを水平方向に移動させることによって、前記ロール支持部材及び前記ロール支持部材によって支持された前記第２のロールが鉛直方向に移動して、前記板材をクランプし又はリリースすることができるようになっており、
前記第１のロール及び前記第２のロールが同期して回転するようになっている
ことを特徴とする板材送り装置。
【請求項２】
前記第１のロール及び前記第２のロールの慣性イナーシャの差は０．０１％以下であることを特徴とする請求項１に記載の板材送り装置。
【請求項３】
回転可能な第１のモータ軸を有する第１のモータであって、前記第１のモータ軸が前記第１のロールに連結された第１のモータと、
回転可能な第２のモータ軸を有する第２のモータであって、前記第２のモータ軸が前記第２のロールに連結された第２のモータと、
前記第１のロール及び前記第２のロールが同期して回転するようにするために、前記第１のモータと前記第２のモータのうちの少なくとも１つに対して制御信号を送信する制御装置と
を更に備えることを特徴とする請求項１又は２に記載の板材送り装置。
【請求項４】
前記制御装置が、前記第１のロールと前記第２のロールのうちの少なくとも１つの回転速度を受信し、前記受信した回転速度を処理することを特徴とする請求項３に記載の板材送り装置。
【請求項５】
前記板材送り装置の外部から、前記制御装置は外部信号を受信し、前記外部信号に応答して前記第１のモータ軸及び前記第２のモータ軸が回転するようになっていることを特徴とする請求項３又は４に記載の板材送り装置。
【請求項６】
前記板材送り装置の外部から、前記制御装置は外部信号を受信し、前記外部信号に応答して前記第２のロールが前記第２のモータ軸に対して鉛直方向に動作可能であることを特徴とする請求項３又は４に記載の板材送り装置。
【請求項７】
前記第２のロールに前記第２のモータ軸を連結して、前記第２のロールを前記第２のモータ軸に対して鉛直方向に動作させることを可能にする結合装置を更に備えることを特徴とする請求項３〜６の何れか一項に記載の板材送り装置。
【請求項８】
端部が前記ハウジングに固定され、中央部が前記ロール支持部材に固定された第１の弾性部材を備えることを特徴とする請求項１〜７の何れか一項に記載の板材送り装置。
【請求項９】
端部が前記ハウジングに固定され、中央部が前記ロール支持部材に固定された第２の弾性部材を備え、前記第２の弾性部材は前記第１の弾性部材の鉛直方向下側に配置されていることを特徴とする請求項８に記載の板材送り装置。
【請求項１０】
請求項１〜９の何れか一項の板材送り装置を使用することによって前記板材を搬送することを特徴とする方法。
【請求項１１】
請求項１０の方法により搬送された板材を加工して構造物を製造することを特徴とする方法。
【手続補正書】
【提出日】平成30年2月27日(2018.2.27)
【手続補正１】
【補正対象書類名】特許請求の範囲
【補正対象項目名】全文
【補正方法】変更
【補正の内容】
【特許請求の範囲】
【請求項１】
所定の遊技が行われる遊技領域と、
正面視において該遊技領域の下方で前方へ膨出し、所定の内部空間が形成された膨出部と、
前記膨出部の上面側に設けられ、前記遊技領域で遊技を行うための遊技媒体が貯留される上皿と、
前記内部空間に収容され、遊技者が操作可能な操作装置と、
所定高さの周壁を有し、前記上皿から遊技媒体が流入可能な下皿と
を備え、
前記膨出部における前記内部空間と左右方向に並設される空間に、前記下皿が設けられ、
前記下皿は、遊技者が遊技媒体を前方から取り出せる領域となる第１下皿部と、前記第１下皿部から前記内部空間内の前記操作装置側に窪むように前記第１下皿部と一体的に設けられた第２下皿部と、を有するものであり、
さらに、前記内部空間を境として前記下皿が設けられる側の反対側には、遊技媒体を発射するためのハンドル部が設けられており、
前記膨出部は、前記ハンドル部の最前部分よりも当該遊技機の前方に突出するように設けられ、
さらに、前記第１下皿部と前記第２下皿部は、遊技媒体貯留領域の面積が異なるものである
ことを特徴とする遊技機。
【請求項２】
所定の遊技が行われる遊技領域と、
正面視において該遊技領域の下方で前方へ膨出し、所定の内部空間が形成された膨出部と、
前記膨出部の上面側に設けられ、前記遊技領域で遊技を行うための遊技媒体が貯留される上皿と、
前記内部空間に収容され、所定の演出効果を奏する演出装置と、
所定高さの周壁を有し、前記上皿から遊技媒体が流入可能な下皿と
を備え、
前記膨出部における前記内部空間と左右方向に並設される空間に、前記下皿が設けられ、
前記下皿は、遊技者が遊技媒体を前方から取り出せる領域となる第１下皿部と、前記第１下皿部から前記内部空間内の前記演出装置側に窪むように前記第１下皿部と一体的に設けられた第２下皿部と、を有するものであり、
さらに、前記内部空間を境として前記下皿が設けられる側の反対側には、遊技媒体を発射するためのハンドル部が設けられており、
前記膨出部は、前記ハンドル部の最前部分よりも当該遊技機の前方に突出するように設けられ、
さらに、前記第１下皿部と前記第２下皿部は、遊技媒体貯留領域の面積が異なるものである
ことを特徴とする遊技機。
【手続補正２】
【補正対象書類名】明細書
【補正対象項目名】０００２
【補正方法】変更
【補正の内容】
【０００２】
従来の遊技機として、正面視における遊技領域の下方に、遊技領域内に打込むための遊技媒体が貯留される上皿と、上皿の下側に配置され上皿から溢れた遊技媒体が貯留される下皿とを備えているものが一般である（例えば、特許文献１）。
【手続補正３】
【補正対象書類名】明細書
【補正対象項目名】０００３
【補正方法】変更
【補正の内容】
【０００３】
しかしながら、従来の遊技機では、遊技者に対する訴求力が低かった。
【手続補正４】
【補正対象書類名】明細書
【補正対象項目名】０００４
【補正方法】変更
【補正の内容】
【０００４】
【特許文献１】特開２００９−２８３９０号公報
【手続補正５】
【補正対象書類名】明細書
【補正対象項目名】０００５
【補正方法】削除
【補正の内容】
【手続補正６】
【補正対象書類名】明細書
【補正対象項目名】０００６
【補正方法】変更
【補正の内容】
【０００６】
そこで、本発明は、上記の実情に鑑み、遊技者に対する訴求力の高い遊技機の提供を課題とする。
【手続補正７】
【補正対象書類名】明細書
【補正対象項目名】０００７
【補正方法】変更
【補正の内容】
【０００７】
本発明は、
所定の遊技が行われる遊技領域と、
正面視において該遊技領域の下方で前方へ膨出し、所定の内部空間が形成された膨出部と、
前記膨出部の上面側に設けられ、前記遊技領域で遊技を行うための遊技媒体が貯留される上皿と、
前記内部空間に収容され、遊技者が操作可能な操作装置と、
所定高さの周壁を有し、前記上皿から遊技媒体が流入可能な下皿と
を備え、
前記膨出部における前記内部空間と左右方向に並設される空間に、前記下皿が設けられ、
前記下皿は、遊技者が遊技媒体を前方から取り出せる領域となる第１下皿部と、前記第１下皿部から前記内部空間内の前記操作装置側に窪むように前記第１下皿部と一体的に設けられた第２下皿部と、を有するものであり、
さらに、前記内部空間を境として前記下皿が設けられる側の反対側には、遊技媒体を発射するためのハンドル部が設けられており、
前記膨出部は、前記ハンドル部の最前部分よりも当該遊技機の前方に突出するように設けられ、
さらに、前記第１下皿部と前記第２下皿部は、遊技媒体貯留領域の面積が異なるものである
ことを特徴とする。
また、
所定の遊技が行われる遊技領域と、
正面視において該遊技領域の下方で前方へ膨出し、所定の内部空間が形成された膨出部と、
前記膨出部の上面側に設けられ、前記遊技領域で遊技を行うための遊技媒体が貯留される上皿と、
前記内部空間に収容され、所定の演出効果を奏する演出装置と、
所定高さの周壁を有し、前記上皿から遊技媒体が流入可能な下皿と
を備え、
前記膨出部における前記内部空間と左右方向に並設される空間に、前記下皿が設けられ、
前記下皿は、遊技者が遊技媒体を前方から取り出せる領域となる第１下皿部と、前記第１下皿部から前記内部空間内の前記演出装置側に窪むように前記第１下皿部と一体的に設けられた第２下皿部と、を有するものであり、
さらに、前記内部空間を境として前記下皿が設けられる側の反対側には、遊技媒体を発射するためのハンドル部が設けられており、
前記膨出部は、前記ハンドル部の最前部分よりも当該遊技機の前方に突出するように設けられ、
さらに、前記第１下皿部と前記第２下皿部は、遊技媒体貯留領域の面積が異なるものである
ことを特徴とする。
【手続補正８】
【補正対象書類名】明細書
【補正対象項目名】０００８
【補正方法】変更
【補正の内容】
【０００８】
このように、本発明によれば、訴求力の高い遊技機を提供することができる。
【手続補正書】
【提出日】平成30年3月12日(2018.3.12)
【手続補正１】
【補正対象書類名】明細書
【補正対象項目名】００２２
【補正方法】変更
【補正の内容】
【００２２】
［第１実施形態］
本発明の第１実施形態に係る寝台装置１０を、図面に基づいて以下に説明する。図１から図１１において、矢印Ｈは人体（新生児、乳児、児）を乗せる際に頭側となる向きを示し、また矢印Ｆは人体を乗せる際に脚側となる向きを示している。以下の説明においては、矢印Ｈ側を後方、矢印Ｆ側を前方、矢印Ｈ、Ｆの方向（前後方向）に対して直交する水平方向を左右と言う場合が有る。
【手続補正書】
【提出日】平成30年7月9日(2018.7.9)
【手続補正１】
【補正対象書類名】特許請求の範囲
【補正対象項目名】全文
【補正方法】変更
【補正の内容】
【特許請求の範囲】
【請求項１】
遊技領域内を流下する遊技球を検出する検出手段と、図柄を変動／確定表示する図柄表示部と、遊技に係る動作を制御する制御手段とを備えており、
前記制御手段は、第１遊技状態において前記検出手段による遊技球の検出に応じて所定の遊技条件が充足されると、前記第１遊技状態から別の遊技状態へと遊技状態を移行させる遊技機であって、
前記制御手段は、前記第１遊技状態において第１遊技条件が充足されると、前記図柄表示部における図柄の表示態様を所定の移行表示態様とした後、前記第１遊技状態から第２遊技状態へ遊技状態を移行させるとともに、前記第２遊技状態において所定の特別条件が充足されると、前記図柄を所定の特別確定表示態様で確定表示させた後、前記第２遊技状態から第３遊技状態へ遊技状態へ移行させる一方、
前記第１遊技状態において第２遊技条件が充足されると、前記図柄表示部において図柄を前記特別確定表示態様で確定表示させた後、前記第１遊技状態から前記第３遊技状態へ遊技状態を移行させることを特徴とする遊技機。
【請求項２】
遊技者が操作可能な遊技操作手段が設けられており、
前記制御手段は、前記第２遊技状態における所定の特別期間中に前記遊技操作手段の操作を検出すると前記特別確定表示態様で図柄を確定表示させ、当該確定表示をもって前記特別条件が充足されたと判定する一方、
前記特別期間以外の期間において前記遊技操作手段の操作を検出すると、前記特別確定表示態様とは異なる確定表示態様で図柄を確定表示させ、当該確定表示をもって非特別条件が充足されたと判定することを特徴とする請求項１に記載の遊技機。
【手続補正２】
【補正対象書類名】明細書
【補正対象項目名】０００６
【補正方法】変更
【補正の内容】
【０００６】
上記目的を達成するために、本発明のうち請求項１に記載の発明は、遊技領域内を流下する遊技球を検出する検出手段と、図柄を変動／確定表示する図柄表示部と、遊技に係る動作を制御する制御手段とを備えており、前記制御手段は、第１遊技状態において前記検出手段による遊技球の検出に応じて所定の遊技条件が充足されると、前記第１遊技状態から別の遊技状態へと遊技状態を移行させる遊技機であって、前記制御手段は、前記第１遊技状態において第１遊技条件が充足されると、前記図柄表示部における図柄の表示態様を所定の移行表示態様とした後、前記第１遊技状態から第２遊技状態へ遊技状態を移行させるとともに、前記第２遊技状態において所定の特別条件が充足されると、前記図柄を所定の特別確定表示態様で確定表示させた後、前記第２遊技状態から第３遊技状態へ遊技状態へ移行させる一方、前記第１遊技状態において第２遊技条件が充足されると、前記図柄表示部において図柄を前記特別確定表示態様で確定表示させた後、前記第１遊技状態から前記第３遊技状態へ遊技状態を移行させることを特徴とする。
請求項２に記載の発明は、請求項１に記載の発明において、遊技者が操作可能な遊技操作手段が設けられており、前記制御手段は、前記第２遊技状態における所定の特別期間中に前記遊技操作手段の操作を検出すると前記特別確定表示態様で図柄を確定表示させ、当該確定表示をもって前記特別条件が充足されたと判定する一方、前記特別期間以外の期間において前記遊技操作手段の操作を検出すると、前記特別確定表示態様とは異なる確定表示態様で図柄を確定表示させ、当該確定表示をもって非特別条件が充足されたと判定することを特徴とする。
なお、請求項１に記載の発明において、遊技者が操作可能な遊技操作手段が設けられており、前記制御手段は、前記第２遊技状態において所定の遊技期間を設定し、前記遊技期間中における前記遊技操作手段の操作回数が所定回数に達すると前記特別確定表示態様で図柄を確定表示させ、当該確定表示をもって前記特別条件が充足されたと判定する一方、前記遊技期間中における前記遊技操作手段の操作回数が前記所定回数に達しないと前記特別確定表示態様とは異なる確定表示態様で図柄を確定表示させ、当該確定表示をもって非特別条件が充足されたと判定するという第１の構成を採用することも考えられる。
そして、そのような第１の構成を採用したものにおいては、第２遊技状態において所定の遊技期間が設定され、その遊技期間中に遊技操作手段が所定回数以上操作されると、特別確定表示態様で図柄が確定表示され、当該確定表示をもって特別条件が充足されたと判定されて第２遊技状態から第３遊技状態へ遊技状態が移行することになる。したがって、遊技性を更に向上することができ、一層斬新な遊技を遊技者に提供し得る遊技機とすることができるという効果を奏することができる。
【手続補正３】
【補正対象書類名】明細書
【補正対象項目名】０００７
【補正方法】変更
【補正の内容】
【０００７】
本発明によれば、第１遊技状態において第１遊技条件が充足されると、図柄表示部における図柄の表示態様が所定の移行表示態様となった後、第１遊技状態から第２遊技状態へ遊技状態が移行するとともに、第２遊技状態において所定の特別条件が充足されると、図柄が所定の特別確定表示態様で確定表示された後、第２遊技状態から第３遊技状態へ遊技状態が移行する一方、第１遊技状態において第２遊技条件が充足されると、図柄表示部において図柄が特別確定表示態様で確定表示された後、第１遊技状態から第３遊技状態へ遊技状態が移行する。したがって、たとえば通常の遊技状態において図柄が所定の大当たり確定表示態様で確定表示されると大当たり状態へ移行するといった従来周知の遊技機とは全く異なる遊技性を備えており、従来にない斬新な遊技を遊技者に提供し得る遊技機とすることができる。
また、第２遊技状態における所定の特別期間中に遊技操作手段が操作されると、特別確定表示態様で図柄が確定表示され、当該確定表示をもって特別条件が充足されたと判定されて第２遊技状態から第３遊技状態へ遊技状態が移行することになる。したがって、遊技性を更に向上することができ、一層斬新な遊技を遊技者に提供し得る遊技機とすることができる。